(57)【要約】【課題】３Ｄクリスタルの彫刻の視認性を向上させる。【解決手段】３Ｄクリスタルのスタンドであって、前記３Ｄクリスタルの底面に配置される台座部と、前記台座部上に配置した３Ｄクリスタルと、前記３Ｄクリスタルを包み、前記３Ｄクリスタルの彫刻を視認可能な位置に開口部又は透明部が設けられたパッケージ部材と、を有し、前記パッケージ部材は、少なくとも前記３Ｄクリスタルの背面部に対応する領域を光の吸収率の高い高光吸収領域としたことを特徴とする３Ｄクリスタル置物。【選択図】図４Ｅ
2017065110.tif 000002
【特許請求の範囲】
【請求項１】
３Ｄクリスタルの底面に配置される台座部と、
前記台座部上に配置した３Ｄクリスタルと、
前記３Ｄクリスタルを包み、前記３Ｄクリスタルの彫刻を視認可能な位置に開口部又は透明部が設けられたパッケージ部材と、を有し、
前記パッケージ部材は、少なくとも前記３Ｄクリスタルの背面部に対応する領域を光の吸収率の高い高光吸収領域としたことを特徴とする３Ｄクリスタル置物。
【請求項２】
前記パッケージ部材は、さらに、前記３Ｄクリスタルの側面部に対応する領域を光の吸収率の高い高光吸収領域としたことを特徴とする請求項１に記載の３Ｄクリスタル置物。
【請求項３】
前記パッケージ部材は、外装パッケージと、前記外装パッケージの内側に配置される内装パッケージとを有し、
前記内装パッケージの、少なくとも前記３Ｄクリスタルの背面部に対応する領域を光の吸収率の高い高光吸収領域としたことを特徴とする請求項１に記載の３Ｄクリスタル置物。
【請求項４】
前記台座部に、前記３Ｄクリスタルを照射する光源を設けたことを特徴とする請求項１から３までのいずれか１項に記載の３Ｄクリスタル置物。
【請求項５】
３Ｄクリスタルの底面に配置される台座部上に配置した３Ｄクリスタルを包み、前記３Ｄクリスタルの彫刻を視認可能な位置に開口部又は透明部が設けられたパッケージ部材であって、
少なくとも前記３Ｄクリスタルの背面部に対応する領域を光の吸収率の高い高光吸収領域としたことを特徴とする３Ｄクリスタル置物のパッケージ部材。
【請求項６】
３Ｄクリスタルを収容するスタンドであって、
前記３Ｄクリスタルの底面に配置される台座部と、前記３Ｄクリスタルの背面に配置される背面部と、前記３Ｄクリスタルの上面に配置される上面部と、からなり、少なくとも前記背面部に対応する領域を光の吸収率の高い高光吸収領域としたことを特徴とする３Ｄクリスタル置物のスタンド。
【請求項７】
前記台座部と、前記背面部と、前記上面部と、が一体のフレームを形成していることを特徴とする請求項６に記載の３Ｄクリスタル置物のスタンド。
【請求項８】
前記台座部と前記上面部とに、それぞれ、前記３Ｄクリスタルを照射する光源が配置されていることを特徴とする請求項６又は７に記載の３Ｄクリスタル置物のスタンド。
【請求項９】
前記台座部に、前記３Ｄクリスタルの両側面に沿って落下防止のための段差が形成されていることを特徴とする請求項６から８までのいずれか１項に記載の３Ｄクリスタル置物のスタンド。
【請求項１０】
前記台座部背面の内部に、前記光源の電源が設けられていることを特徴とする請求項８に記載の３Ｄクリスタル置物のスタンド。
【請求項１１】
請求項６から１０までのいずれか１項に記載のスタンドと、
前記スタンド内に収容されている３Ｄクリスタルと、
前記スタンドを包むパッケージ部材と
を有することを特徴とする３Ｄクリスタルライティング置物。
【請求項１２】
前記スタンドには、前記光源のオンオフを行うスイッチが設けられ、
前記パッケージ部材には、前記スイッチのオンオフを可能とするための開口部が形成されていることを特徴とする請求項１１に記載の３Ｄクリスタルライティング置物。
【請求項１３】
３Ｄクリスタルと、
前記３Ｄクリスタルを収容するフレームと、
前記３Ｄクリスタルを照明する光源と、を有し、
前記フレームの前記３Ｄクリスタルの背面部に対応する領域を光の吸収率の高い高光吸収領域としたことを特徴とする３Ｄクリスタルライティング置物。
【発明の詳細な説明】
【技術分野】
【０００１】
本発明は、３Ｄクリスタルを用いた３Ｄクリスタル置物（３Ｄクリスタルライティング置物など）等に関する。
【背景技術】
【０００２】
３Ｄクリスタルとは、レーザー等を使い、略直方体状のガラスの中に白い点（ドット）による彫刻を形成することで、立体的な図柄を彫刻して装飾品等として用いるものである（非特許文献１参照）。本明細書では、３Ｄクリスタルをスタンドや紙パッケージによって装飾したものを３Ｄクリスタル置物と称する。
【０００３】
３Ｄクリスタル置物のスタンドとしては、例えば、図１に示すようなものが一般的である。図１に示す３Ｄクリスタル置物のスタンド（台座部）１は、例えば直方体の樹脂等からなり、例えば、スタンド１の上面にＬＥＤ３などの光源が設けられている。
【０００４】
図２に示すように、スタンド１の上に彫刻（装飾）１１ａがなされている３Ｄクリスタル１１を立設する。ＬＥＤ３を発光させることによって生じる光源からの光線により、３Ｄクリスタル１１の彫刻１１ａを鮮明に視認できる。
【０００５】
３Ｄクリスタル単体での表現には限界があるため、より見栄えが良くデザイン面でも優れた製品として、図３に示すような、外装パッケージ２１とＬＥＤ台座部（図示せず）、３Ｄクリスタル（本体）１１を一体化させた３Ｄクリスタル置物が開発されている。
【先行技術文献】
【非特許文献】
【０００６】
【非特許文献１】http://www.ijet.co.jp/3d-printing/content.php?id=43
【発明の概要】
【発明が解決しようとする課題】
【０００７】
しかしながら、上記の図２のようなスタンド１上に３Ｄクリスタル１１を立設した３Ｄクリスタル置物Ａでは、彫刻１１ａの視認性という観点からは十分とは言えないという問題点があった。
本発明は、３Ｄクリスタルの彫刻の視認性を向上させることを目的とする。
【課題を解決するための手段】
【０００８】
本発明の一観点によれば、３Ｄクリスタルの底面に配置される台座部と、前記台座部上に配置した３Ｄクリスタルと、前記３Ｄクリスタルを包み、前記３Ｄクリスタルの彫刻を視認可能な位置に開口部又は透明部が設けられたパッケージ部材と、を有し、前記パッケージ部材は、少なくとも前記３Ｄクリスタルの背面部に対応する領域を光の吸収率の高い高光吸収領域としたことを特徴とする３Ｄクリスタル置物が提供される。
【０００９】
前記パッケージ部材は、さらに、前記３Ｄクリスタルの側面部に対応する領域を光の吸収率の高い高光吸収領域としたことを特徴とする。
【００１０】
前記パッケージ部材は、外装パッケージと、前記外装パッケージの内側に配置される内装パッケージとを有し、前記内装パッケージの、少なくとも前記３Ｄクリスタルの背面部に対応する領域を光の吸収率の高い高光吸収領域としたことを特徴とする。
前記台座部に、前記３Ｄクリスタルを照射する光源を設けると良い。
【００１１】
本発明は、３Ｄクリスタルの底面に配置される台座部上に配置した３Ｄクリスタルを包み、前記３Ｄクリスタルの彫刻を視認可能な位置に開口部又は透明部が設けられたパッケージ部材であって、少なくとも前記３Ｄクリスタルの背面部に対応する領域を光の吸収率の高い高光吸収領域としたことを特徴とする３Ｄクリスタル置物のパッケージ部材である。
【００１２】
本発明は、３Ｄクリスタルを収容するスタンドであって、前記３Ｄクリスタルの底面に配置される台座部と、前記３Ｄクリスタルの背面に配置される背面部と、前記３Ｄクリスタルの上面に配置される上面部と、からなり、少なくとも前記背面部に対応する領域を光の吸収率の高い高光吸収領域としたことを特徴とする３Ｄクリスタル置物のスタンドである。
クリスタルの背面が暗幕のような状態になることで、通常の透明クリスタルであっても内部の彫刻が視認しやすいようにする。
【００１３】
前記台座部と、前記背面部と、前記上面部と、が一体のフレームを形成していることを特徴とする。
前記台座部と前記上面部とに、それぞれ、前記３Ｄクリスタルを照射する光源が配置されていることを特徴とする。
【００１４】
前記台座部に、前記３Ｄクリスタルの両側面に沿って落下防止のための段差が形成されていることを特徴とする。
これにより、重量のある３Ｄクリスタルが台座部から飛び出さないようする。
【００１５】
前記台座部背面の内部に、前記光源の電源が設けられていることを特徴とする。
電池、または充電可能な蓄電機器を電源として内蔵することで、コンセント等の外部電力を使用しなくても単体で発光できる構造を持たせる。
【００１６】
本発明は、上記いずれか１に記載のスタンドと、前記スタンド内に収容されている３Ｄクリスタルと、前記スタンドを包むパッケージ部材とを有することを特徴とする３Ｄクリスタルライティング置物である。
【００１７】
前記スタンドには、前記光源のオンオフを行うスイッチが設けられ、前記パッケージ部材には、前記スイッチのオンオフを可能とするための開口部が形成されていることを特徴とする。
【００１８】
本発明の他の観点によれば、３Ｄクリスタルと、前記３Ｄクリスタルを収容するフレームと、前記３Ｄクリスタルを照明する光源とを有し、前記フレームの前記３Ｄクリスタルの背面部に対応する領域を光の吸収率の高い高光吸収領域としたことを特徴とする３Ｄクリスタルライティング置物が提供される。
【発明の効果】
【００１９】
本発明によれば、３Ｄクリスタルの彫刻の視認性を向上させることができる。
【図面の簡単な説明】
【００２０】
【図１】３Ｄクリスタル置物の一般的なスタンド（台座部）の一例を示す図である。
【図２】スタンドの上に３Ｄクリスタルを立設した状態を示す図である。
【図３】パッケージとＬＥＤ台座部、３Ｄクリスタル本体を一体化させた３Ｄクリスタル置物の一例を示す図である。
【図４Ａ】本発明の第１の実施の形態による３Ｄクリスタル置物を組み立てる工程を説明する図である。
【図４Ｂ】本発明の第１の実施の形態による３Ｄクリスタル置物を組み立てる工程を説明する図である。
【図４Ｃ】本発明の第１の実施の形態による３Ｄクリスタル置物を組み立てる工程を説明する図である。
【図４Ｄ】本発明の第１の実施の形態による３Ｄクリスタル置物を組み立てる工程を説明する図である。
【図４Ｅ】本発明の第１の実施の形態による３Ｄクリスタル置物を組み立てる工程を説明する図である。
【図４Ｆ】本発明の第１の実施の形態による３Ｄクリスタル置物を組み立てる工程を説明する図である。
【図４Ｇ】本発明の第１の実施の形態による３Ｄクリスタル置物を組み立てる工程を説明する図である。
【図５】３Ｄクリスタルを包装するための外装パッケージの外観図と展開図である。
【図６】外装パッケージの内側に配置される厚紙などにより形成される内装厚紙の上部の外観図と展開図である。
【図７】外装パッケージの内側に配置される内装厚紙の下部の外観図と展開図である。
【図８】外装パッケージの内側に配置される遮光部材として機能する内装パッケージの外観図と展開図の第１例を示す図である。
【図９】外装パッケージの内側に配置される内装パッケージの展開図の第２例を示す図である。
【図１０】本発明の第２の実施の形態による３Ｄクリスタルのスタンドの一構成例を示す斜視図である。
【図１１】３Ｄクリスタルのスタンドに、３Ｄクリスタルをはめ込んだ様子を示す図である。
【図１２】図１１に示した構造の外装として、紙製の外装パッケージを取り付けた構造を示す図である。
【図１３Ａ】紙製の外装パッケージに３Ｄクリスタル内部の彫刻に合わせたデザインを施した図である。
【図１３Ｂ】図１３Ａの紙製の外装パッケージのデザイン等の一例を示す図である。
【図１４】光源部への電源として、スタンドの台座部、上面部内に、乾電池又は充電可能な蓄電池などを収容した図である。
【図１５】外装パッケージの外観図と展開図である。
【発明を実施するための形態】
【００２１】
本明細書において、３Ｄクリスタル置物とは、例えば、３Ｄクリスタル（装飾品本体）に外装を施したりして、装飾効果をより高めた装飾品等を指す。平面上への設置、吊り下げ、壁掛けなど、その設置の形態を限定するものではない。
【００２２】
３Ｄクリスタルでは、例えば、先にガラスを磨いて仕上げてから、レーザー彫刻などにより加工する。レーザーは単波長の強力な光であるが、ガラスの中の点を作りたい部分にレンズで集光し、その部分を加熱してごく小さいキズ（ヒビ、ドット）を作る。キズは光を乱反射して白い点に見える。レーザー照射装置、もしくはガラスを固定した台を、入力したデータ通りに動かしながら次々に点（ドット）を作っていく。３Ｄクリスタルの製造方法には、様々な変形例があるが、公知の製造方法であれば、その製造方法により本発明が限定されることはない。
【００２３】
（第１の実施の形態）
以下に、本発明の第１の実施の形態による３Ｄクリスタル置物について、図面を参照しながら詳細に説明する。
【００２４】
３Ｄクリスタルを載せる台座部については、図１に示す台座部１を例にして説明する。図４Ａから図４Ｇまでは、本実施の形態による３Ｄクリスタル置物を組み立てる工程を説明する図である。図５は、３Ｄクリスタルを、その外側から包装するための外装パッケージの外観図と展開図である。外装パッケージは、例えば紙などにより安価に量産することができる。図６は、外装パッケージの内側に配置される厚紙などにより形成される内装厚紙の上部の外観図と展開図である。図７は、外装パッケージの内側に配置される内装厚紙の下部の外観図と展開図である。図８は、外装パッケージの内側に配置される遮光部材として機能する内装パッケージの外観図と展開図の第１例を示す図である。図９は、外装パッケージの内側に配置される内装パッケージの外観図と展開図の第２例を示す図である。
【００２５】
内装パッケージは、パッケージの骨組みを形成し、外装パッケージは、パッケージの外装を形成する。
但し、内装パッケージと外装パッケージを一体として形成しても良い。すなわち、内装パッケージに、デザイン等を施しても良い。
【００２６】
外装パッケージ２１は、図５（ａ）に示すように、少なくとも正面側に開口部又は透明部２１ａを有する箱体の形状を有し、例えば薄紙を展開図（図５（ｂ））に示すような形状に加工し、所望のデザイン等を施している。これを、図５（ａ）に示す外観図のように組み立てることで、外装パッケージを形成することができる。
【００２７】
図６に示すように、上部内装厚紙３１は、例えば無色の厚紙を展開図（図６（ｂ））に示すような形状に加工し、所望のデザイン等を施している。これを図６（ａ）に示す外観図のように、３Ｄクリスタルの背面、側面及び上面を覆うような形状に組み立てる。
【００２８】
組立後には、パッケージの上部を形成する第１の部分３１ａと、それに繋がって形成される３Ｄクリスタルの背面に対応する第１の領域３１ｂ、及び、側面に対応し、所定の厚さを有して高さ方向に延在する第１の凸部３１ｃを有する第２の領域３１ｄとを有する第２の部分３１ｅと、を有している。ここで、３Ｄクリスタルに対応する領域とは、３Ｄクリスタルをパッケージで包装した状態で、対面する領域を指す。但し、全ての領域を含んでいない場合でも良い。
【００２９】
図７に示すように、下部内装厚紙４１は、例えば無色の厚紙を展開図（図７（ｂ））に示すような形状に加工し、所望のデザイン等（図示せず）を施している。これを図７（ａ）に示す外観図のように、３Ｄクリスタルの下面に当接し、台座部１の上面と４側面を覆うような形状に組み立てる。下部内装厚紙４１には、台座部１に設けられた光源３から出射する光を透過するための開口部４１ａ等が設けられている。また、上面の４辺４３には、内側に向けて縮径する半円状の切り込み部４５が形成され、これにより形成される爪部により、ＬＥＤ台座の側面が傾斜している場合等に、ＬＥＤ台座の角度に上部を合わせることができる。
【００３０】
図８に示すように、内装パッケージ５１は、３Ｄクリスタルの背面と側面に対応する領域Ｒ１、Ｒ２を黒色にするなどして光を吸収させている。あるいは、図９に示すように、内装パッケージ６１は、３Ｄクリスタルの背面に対応する領域Ｒ３を例えば黒色にするなどして、可視光の吸収率をその他の領域よりも高くする。すなわち、光の吸収率がその他の領域よりも高い高光吸収率領域とする。そのために、パッケージ材料自体を黒色材料等にしても良いし、パッケージ背面を黒色等に塗っても良い。
【００３１】
尚、３Ｄクリスタルの背面に対応する領域は、組み立てた際に背面側に凹むようになっており（凹部５１ｂ）、３Ｄクリスタルの両側面に対応する領域との間に、それぞれ、第１の凸部３１ｃ・３１ｃ（図６）とほぼ同じ幅の第２の凸部５１ａ・５１ａ（第１の凸部３１ｃに対しては凹部５１ｃ・５１ｃとなって、嵌合する）が形成されている。
【００３２】
以下、図４に沿って、上記の各部材を組み立てて、３Ｄクリスタル置物を製造する工程について詳細に説明する。
【００３３】
まず、図４Ａ、図４Ｂに示すように、下部内装厚紙４１により形成された下部内装部材を台座部１に被せるように取り付ける。この際、台座部１の側面に形成されているＬＥＤのスイッチ１ａが、下部内装厚紙４１から露出するようにする。
【００３４】
図４Ｃに示すように、図６に示す上部内装厚紙３１に、図８または図９に示す内装パッケージ５１又は６１をはめ込む。図６に示す上部内装厚紙３１の第１の凸部３１・３１ｃに、図８又は図９に示す第２の凸部５１ａ・５１ａの背面の凹部５１ｃ・５１ｃから合わせるようにして両者をはめ込み、３Ｄクリスタルの収容部５５を形成する。
【００３５】
図４Ｄに示すように、図４Ｃで形成した３Ｄクリスタルの収容部５５内に、３Ｄクリスタル１１をはめ込む。
【００３６】
図４Ｅに示すように、図４Ｄに示す工程により形成した部材を、図４Ｂで形成した厚紙付台座部１上に配置する。この工程により、台座部１上に載せた３Ｄクリスタル１１に、紙製の枠体３１・５１を形成することができる。
【００３７】
図４Ｆに示すように、紙製の枠体を形成した台座部１上の３Ｄクリスタル１１を、図５に示す外装パッケージ２１内に収容する。外装パッケージ２１の開口部又は透明部２１ａが、３Ｄクリスタル１１の正面を向くように配置する。これにより、デザイン２１ｂ等が施されて付加価値が高められた３Ｄクリスタル置物Ａが完成する。
【００３８】
図４Ｇに示すように、３Ｄクリスタル置物ＡにおいてＬＥＤを内蔵した台座部１のスイッチ１ａをオンすることで、３Ｄクリスタル１１に対して、パッケージ内に入った状態で光を照射することができ、３Ｄクリスタル１１に施された３Ｄ形状の確認が容易になり、より一層、パッケージとの一体感ができる。
【００３９】
尚、ＬＥＤ３を上下に配置する、もしくは、上下いずれかにセットすることで、３Ｄクリスタル１１内部の３Ｄ形状によって効果的に演出することが可能となる。
【００４０】
以上に説明したように、本実施の形態による３Ｄクリスタル置物によれば、少なくとも３Ｄクリスタルの背面部に光の吸収率の高い領域（高光吸収率領域）を設けることで、以下のように作用させる。
【００４１】
すなわち、ユーザが前方から視認できる３Ｄクリスタル中のドットからの反射散乱光を前方（視認者側）へ反射させるとともに、ドットに当たらずに３Ｄクリスタルを透過して背面に到達した光を高吸収領域で吸収することで、ドットからの反射散乱光（所望光）と背面から反射する背面反射光（不要光）とを区別して、所望光の割合をできるだけ大きくすることができる。
【００４２】
また、台座部１から照射された光の前方への指向性を向上させ、３Ｄクリスタルの彫刻の視認性を良くすることができる。
【００４３】
さらに、３Ｄクリスタルにデザイン性に富んだ紙製のパッケージにより外装することで、安価に装飾効果を発揮させることができる。
【００４４】
（第２の実施の形態）
次に、本発明の第２の実施の形態による３Ｄクリスタル置物について図面を参照しながら詳細に説明する。
【００４５】
図１０は、本発明の第２の実施の形態による３Ｄクリスタルのスタンドの一構成例を示す斜視図である。図１０に示すように、本実施の形態による３Ｄクリスタルのスタンド１０１は、例えば樹脂性であり、３Ｄクリスタルの底面に配置される台座部１０１ａと、３Ｄクリスタルの背面に配置される背面部１０１ｂと、３Ｄクリスタルの上面に配置される上面部１０１ｃと、からなる、例えば断面コの字状の部材である。そして、少なくとも背面部１０１ｂが、照射光、例えば可視光の吸収率が、その他の領域に比べて高い高光吸収率な材料により形成されている。もちろん、背面部以外も黒色などの高光吸収率な材料を用いても良い。あるいは、背面を黒色に塗っても良い。また、ＬＥＤ光源の波長に依存して、光吸収率の高い材料または色は変更してもよい。
【００４６】
また、台座部１０１ａと、背面部１０１ｂと、上面部１０１ｃとは、一体成型されていても良く、ネジ留めなどにより組立てても良い。いずれにしても、台座部１０１ａと、背面部１０１ｂと、上面部１０１ｃと、が一体のフレームを形成して３Ｄクリスタルを収容するためのスタンド１０１となる。図１１は、３Ｄクリスタルのスタンド１０１に、３Ｄクリスタル１１１をはめ込んだ様子を示す図である。
【００４７】
また、図１０に示すように、台座部１０１ａ上に、３Ｄクリスタル１１１（図１１）の両側面に沿った位置に、落下防止のための段差１０３ａ・１０３ｂを形成しても良い。これにより、重量のある３Ｄクリスタル１１１が外に飛び出さないよう安全策が設けられている。
【００４８】
３Ｄクリスタル１１１の背面方向におけるスタンド１０１が暗幕のような状態になることで、通常の透明な３Ｄクリスタルであっても内部の彫刻が視認しやすいようにする効果がある。
【００４９】
図１４（ａ）は、スタンドの一構成例を示す上面図である。図１４（ｂ）は、スタンドの一構成例を示す斜視図である。図１４（ｃ）は、スタンドの一構成例を示す背面図である。図１４（ｄ）は、スタンドの一構成例を示す側面図である。
【００５０】
図１４に示すように、スタンド１０１の台座部１０１ａ、上面部１０１ｃのうち少なくとも一方に、３Ｄクリスタル側に光を出射する光源部１０５、例えば、ＬＥＤランプが設けられている。台座部１０１ａの側面にはＬＥＤ１０５の発光を制御できるスイッチを配置しても良い。スイッチの操作が可能なように、パッケージにも切り抜きを開けておくと良い。
【００５１】
図１４に示すように、ＬＥＤ（光源）１０５への電源として、スタンドの台座部１０１ａ、上面部１０１ｃ内に、電池１２１又は充電可能な蓄電機器１３１などのうち少なくとも一方を収容できるようにすると良い。電池１２１、または、充電可能な蓄電機器１３１を内蔵することで、コンセント等の外部電力を使用しなくても単体でＬＥＤ発光させることができる構造を持たせることができる。また、ＬＥＤ１０５の発光色や多数色によるパターンは商品によって変更することが好ましい。
【００５２】
図１２は、図１１に示した構造の外装として、図１５（ａ）（組み立て図）、図１５（ｂ）（展開図）に示すような紙製の外装パッケージ１５１を取り付けた構造を示している。図１５、図１３Ａ、図１３Ｂに示すように、紙製の外装パッケージ１５１には３Ｄクリスタル内部の彫刻に合わせたデザインを施しても良い。例えば、デザインには、図１３Ｂに示すように、ロゴ、商品名、会社名、イラスト、商品説明、製造元、注意書き、バーコードなどが含まれる。
【００５３】
尚、実施の形態によるスタンドは、３Ｄクリスタルの代わりに、フィギュアなどの他の装飾品を載せても良い。
【００５４】
上記の実施の形態において、添付図面に図示されている構成等については、これらに限定されるものではなく、本発明の効果を発揮する範囲内で適宜変更することが可能である。その他、本発明の目的の範囲を逸脱しない限りにおいて適宜変更して実施することが可能である。
【００５５】
例えば、ボックス内の背面を黒色にするのではなく、写真などデザインした背景にすることもできる。このようにすると、３Ｄクリスタル１１内部の３Ｄ形状と背景を一体化した演出も可能になる。
【００５６】
また、本発明の各構成要素は、任意に取捨選択することができ、取捨選択した構成を具備する発明も本発明に含まれるものである。
【産業上の利用可能性】
【００５７】
本発明は、３Ｄクリスタル置物に利用可能である。
【符号の説明】
【００５８】
Ａ…３Ｄクリスタル置物、１…台座部（スタンド）、１ａ…ＬＥＤのスイッチ、３…ＬＥＤ（光源）、１１…３Ｄクリスタル、１１ａ…彫刻（装飾）、２１…外装パッケージ、２１ａ…開口部又は透明部、３１…上部内装厚紙、４１…下部内装厚紙、５１…内装パッケージ、５１、６１…内装パッケージ、１０１…スタンド、１０１ａ…台座部、１０１ｂ…背面部、１０１ｃ…上面部、１１１…３Ｄクリスタル、１０５…ＬＥＤ（光源）、１２１…電池、１３１…蓄電機器、１５１…外装パッケージ。
【図１】
2017065110.tif 000003
【図２】
2017065110.tif 000004
【図３】
2017065110.tif 000005
【図４Ａ】
2017065110.tif 000006
【図４Ｂ】
2017065110.tif 000007
【図４Ｃ】
2017065110.tif 000008
【図４Ｄ】
2017065110.tif 000009
【図４Ｅ】
2017065110.tif 000010
【図４Ｆ】
2017065110.tif 000011
【図４Ｇ】
2017065110.tif 000012
【図５】
2017065110.tif 000013
【図６】
2017065110.tif 000014
【図７】
2017065110.tif 000015
【図８】
2017065110.tif 000016
【図９】
2017065110.tif 000017
【図１０】
2017065110.tif 000018
【図１１】
2017065110.tif 000019
【図１２】
2017065110.tif 000020
【図１３Ａ】
2017065110.tif 000021
【図１３Ｂ】
2017065110.tif 000022
【図１４】
2017065110.tif 000023
【図１５】
2017065110.tif 000024